(57)【要約】【課題】防水すべき屋上床面等の下地材の表面にＦＲＰ材を下地材の表面に対して遊離状態で敷設することにより、コンクリートやモルタル等の下地材が衝撃、水分等の外的要因により亀裂が生ずるような外力が掛かったとしても、下地材とＦＲＰ材とは遊離した関係にあるから、下地材に加わった亀裂外力はＦＲＰ材に伝わることが無く、ＦＲＰ材の亀裂発生を未然に防ぐことができ、防水効果を耐久的に維持することができる。【解決手段】防水すべき屋上床面等の下地材１の表面にＦＲＰ材２を設けてなり、ＦＲＰ材を下地材の表面に対して遊離状態で敷設してなる。【選択図】図１
2005344338.tif 000002
【特許請求の範囲】
【請求項１】
防水すべき屋上床面等の下地材の表面にＦＲＰ材を設けてなり、上記ＦＲＰ材を上記下地材の表面に対して遊離状態で敷設してなることを特徴とする屋上床面等の防水構造。
【請求項２】
上記ＦＲＰ材を上記下地材の表面に遊離状態で止着可能な捲上防止機構を設けてなることを特徴とする請求項１記載の屋上床面等の防水構造。
【請求項３】
上記捲上防止機構として、上記下地材に水平方向の周囲全方向に移動可能な移動部材を設け、該移動部材に上記ＦＲＰ材を止着してなることを特徴とする請求項１又は２記載の屋上床面等の防水構造。
【発明の詳細な説明】
【技術分野】
【０００１】
本発明は例えば建築構造物の屋上床面、ベランダの床面、コンクリート製貯水池の内面、淡水魚飼育施設の内面等の防水構造に関するものである。
【背景技術】
【０００２】
従来この種の屋上床面等の防水構造として、防水すべき屋上床面等の下地材の表面に防水効果を果たすＦＲＰ材を強固に密着状態で貼設したり、ＦＲＰ材層を塗布形成してなる構造のものが知られている。
【特許文献１】特開２００２−４７７６６号公報
【発明の開示】
【発明が解決しようとする課題】
【０００３】
しかしながら上記従来構造の場合、コンクリートやモルタル、コンパネ、木製合板等の下地材が衝撃、水分等の外的要因により亀裂や浮き上がり、ゆがみ等が生ずると、このＦＲＰ材やＦＲＰ材層は下地材に密着しているため、下地材に加わった亀裂外力がＦＲＰ材やＦＲＰ材層に掛かり、このため、ＦＲＰ材やＦＲＰ材層にも亀裂が生ずることがあり、防水効果を低下させることになるという不都合を有している。
【課題を解決するための手段】
【０００４】
本発明はこれらの不都合を解決することを目的とするもので、本発明のうちで、請求項１記載の発明は、防水すべき屋上床面等の下地材の表面にＦＲＰ材を設けてなり、上記ＦＲＰ材を上記下地材の表面に対して遊離状態で敷設してなることを特徴とする屋上床面等の防水構造にある。
【０００５】
又、請求項２記載の発明にあっては、上記ＦＲＰ材を上記下地材の表面に遊離状態で止着可能な捲上防止機構を設けてなることを特徴とする請求項１記載の屋上床面等の防水構造にあり、又、請求項３記載の発明は、上記捲上防止機構として、上記下地材に水平方向の周囲全方向に移動可能な移動部材を設け、該移動部材に上記ＦＲＰ材を止着してなることを特徴とするものである。
【発明の効果】
【０００６】
本発明は上述の如く、請求項１記載の発明にあっては、防水すべき屋上床面等の下地材の表面にＦＲＰ材を下地材の表面に対して遊離状態で敷設することにより、コンクリートやモルタル、コンパネ、木製合板等の下地材が衝撃、水分等の外的要因により亀裂や浮き上がり、ゆがみ等が生ずるような力が掛かったとしても、下地材とＦＲＰ材とは遊離した関係にあるから、下地材に加わった亀裂外力はＦＲＰ材に伝わることが無く、ＦＲＰ材の亀裂発生を未然に防ぐことができ、防水効果を耐久的に維持することができる。
【０００７】
又、請求項２記載の発明にあっては、上記ＦＲＰ材を上記下地材の表面に遊離状態で止着可能な捲上防止機構を設けてなるから、風雨等によるＦＲＰ材の捲り上がりを防ぐことができ、一層防水効果を維持することができ、又、請求項３記載の発明にあっては、上記捲上防止機構として、上記下地材に水平方向の周囲全方向に移動可能な移動部材を設け、移動部材にＦＲＰ材を止着してなるから、下地材に対するＦＲＰ材の横ずれが許容され、下地材に加わった亀裂外力がＦＲＰ材に伝わることを確実に防ぐことができ、一層防水効果を耐久的に維持することができる。
【発明を実施するための最良の形態】
【０００８】
図１乃至図６は本発明の実施の形態例を示し、１は防水すべき建築物の屋上床面である下地材であって、コンクリートやモルタル、コンパネ、木製合板等により形成され、この下地材１の表面１ａにシート状のＦＲＰ材２を下地材１の表面１ａに対して遊離状態Ｂで敷設し、この場合、ＦＲＰ（Ｆｉｂｅｒ  Ｒｅｉｎｆｏｒｃｅｄ  Ｐｌａｓｔｉｃｓ）材２を上記下地材１の表面１ａに複数個の捲上防止機構３により遊離状態で止着して構成している。
【０００９】
この場合、上記ＦＲＰ材２として、ポリエステル樹脂にガラス繊維を混合した複合材が用いられ、その他、他のＦＲＰ材を用いることもでき、又、ＦＲＰ材２に耐熱、耐候、耐水、耐衝撃性等の各種のコーティング加工を施すこともある。
【００１０】
又、この場合、上記捲上防止機構３として、図２、図３の如く、上記下地材１に凹部１ｂを形成し、この凹部１ｂに円板状の下材３ａを配置し、下材３ａ上の中央部分に小円板状の移動部材３ｂを配置すると共に下材３ａ上の周囲部にリング板状の間隔材３ｃを配置し、間隔材３ｃ上に上材３ｄを載置し、下材３ａ、間隔材３ｃ及び上材３ｄをアンカー３ｅにより下地材１に固定し、移動部材３ｂを水平方向の周囲全方向に移動自在に配置し、移動部材３ｂに起立軸３ｆを植設し、起立軸３ｆにＦＲＰ材２を連結ピン３ｇにより連結し、この捲上防止機構３を下地材１とＦＲＰ材２の複数箇所に設けて構成している。
【００１１】
又、この場合、パラペット部位４においては、ＦＲＰ材２の端縁部をパラペット４ａ上縁部の水平突出部分４ｂの内縁隅部にＦＲＰ材２の遊離状態を許容して連結材３ｈにより固定して構成している。即ち、移動部材３ｂの移動範囲内でのＦＲＰ材の反り変形を許容するように構成している。
【００１２】
又、この場合、図４の如く、ＦＲＰ材２を複数枚形成し、各ＦＲＰ材２を現場において接続するように構成している。
【００１３】
この実施の形態例は上記構成であるから、防水すべき屋上床面等の下地材１の表面１ａにＦＲＰ材２を下地材１の表面１ａに対して遊離状態で敷設することにより、コンクリートやモルタル、コンパネ、木製合板等の下地材１が衝撃、水分等の外的要因により亀裂や浮き上がり、ゆがみ等が生ずるような力が掛かったとしても、下地材１とＦＲＰ材とは遊離した関係にあるから、下地材１に加わった亀裂外力はＦＲＰ材２に伝わることが無く、ＦＲＰ材２の亀裂発生を未然に防ぐことができ、防水効果を耐久的に維持することができる。
【００１４】
又、この場合、上記ＦＲＰ材２を上記下地材１の表面１ａに遊離状態で止着可能な捲上防止機構３を設けてなるから、風雨等によるＦＲＰ材２の捲り上がりを防ぐことができ、一層防水効果を維持することができ、又、この場合、上記捲上防止機構３として、上記下地材１に水平方向の周囲全方向に移動可能な移動部材３ｂを設け、移動部材３ｂにＦＲＰ材２を止着してなるから、下地材１に対するＦＲＰ材２の横ずれが許容され、下地材１に加わった亀裂外力がＦＲＰ材２に伝わることを確実に防ぐことができ、一層防水効果を耐久的に維持することができる。
【００１５】
尚、本発明は上記実施の形態例に限られるものではなく、例えば、建築構造物の屋上床面に限らず、ベランダの床面、コンクリート製貯水池の内面、淡水魚飼育施設の内面等の防水構造にも適用することができ、又、ＦＲＰ材２の材質、捲上防止機構３の構造等は適宜設計して変更される。
【００１６】
以上、所期の目的を充分達成することができる。
【図面の簡単な説明】
【００１７】
【図１】本発明の実施の形態例の部分断面図である。
【図２】本発明の実施の形態例の部分断面図である。
【図３】本発明の実施の形態例の平面図である。
【図４】本発明の実施の形態例の平面図である。
【図５】本発明の実施の形態例の部分斜視図である。
【図６】本発明の実施の形態例の部分断面図である。
【符号の説明】
【００１８】
１    下地材
１ａ    表面
２    ＦＲＰ材
３    捲止防止機構
３ｂ    移動部材
【図１】
2005344338.tif 000003
【図２】
2005344338.tif 000004
【図３】
2005344338.tif 000005
【図４】
2005344338.tif 000006
【図５】
2005344338.tif 000007
【図６】
2005344338.tif 000008